(57)【要約】【課題】構造が簡単で、かつ小型なローディングメカとすることができる。【解決手段】カートリッジ１に接続されるコネクタ１８を有する筐体２と、装着方向に移動可能に設けられカートリッジ１を引き込むスライド部材６と、駆動モータ１３と、この駆動モータ１３とスライド部材６との間に介在し、駆動モータ１３の回転力を直線運動に変換してスライド部材６に伝える動力伝達機構を備えると共に、この動力伝達機構が、駆動モータ１３によって回転される回転板１７と、この回転板１７に設けられた摺動突起１７ｂと、スライド部材６に、上述の装着方向と直交する方向に延設して形成され、摺動突起１７ｂが係合する摺動溝６ｄとを有する構成にしてある。【選択図】図８
2006236438.tif 000002
【特許請求の範囲】
【請求項１】
カートリッジに接続されるコネクタを有する筐体と、装着方向に移動可能に設けられ上記カートリッジを引き込むスライド部材と、駆動モータと、この駆動モータと上記スライド部材との間に介在し、上記駆動モータの回転力を直線運動に変換して上記スライド部材に伝える動力伝達機構を備えると共に、
上記動力伝達機構が、上記駆動モータによって回転される回転板と、この回転板に設けられた摺動突起と、上記スライド部材に、上記装着方向と直交する方向に延設して形成され、上記摺動突起が係合する摺動溝とを有することを特徴とする記録媒体装着装置。
【請求項２】
上記請求項１記載の発明において、
上記摺動溝の一側端を、上記回転板の中心軸を超えて僅かに膨出させると共に、その膨出領域を上記摺動突起の軌跡に沿うように形成したことを特徴とする記録媒体装着装置。
【請求項３】
上記請求項２記載の発明において、
上記摺動突起が上記膨出領域に位置した際の上記スライド部材のがたつきを規制する規制機構を備えたことを特徴とする記録媒体装着装置。
【請求項４】
上記請求項３記載の発明において、
上記規制機構は、上記回転板に形成されたカム溝と、このカム溝に係合し、上記スライド部材の動きを規制する規制アーム部とを有することを特徴とする記録媒体装着装置。
【請求項５】
上記請求項４記載の発明において、
上記駆動モータの駆動、停止制御を行なうスイッチ手段と、このスイッチ手段を作動させるスイッチアーム部とを備えると共に、このスイッチアーム部と上記規制アーム部とを一体に設けたことを特徴とする記録媒体装着装置。
【請求項６】
上記請求項１〜５のいずれか１項記載の発明において、
上記カートリッジが挿入される筐体が上ケースと下ケースとから成り、上記下ケースに上記コネクタと、上記カートリッジの移動を案内するガイド部材を設け、上記上ケースに上記スライド部材、上記駆動モータ、及び上記動力伝達機構を装着させたことを特徴とする記録媒体装着装置。
【発明の詳細な説明】
【技術分野】
【０００１】
本発明は、パソコン等の電子機器に設けられ、ハードディスクが収納されたカートリッジの着脱が可能な記録媒体装着装置に関する。
【背景技術】
【０００２】
この種の従来技術として、特許文献１に示される技術が知られている。この従来技術は、筐体内に手操作によってハードディスクが収納されたカートリッジを挿入して、筐体に備えられるコネクタにカートリッジを接続すると共に、イジェクト釦を操作することによってコネクタからカートリッジを離脱させ、このカートリッジを筐体内から排出させるように構成してある。
【特許文献１】特開平４−４７５５４号公報
【発明の開示】
【発明が解決しようとする課題】
【０００３】
上述した従来技術では、筐体内のコネクタに対するカートリッジの着脱を手操作、すなわちマニュアルで行なわなければならないので、使い勝手がよくなかった。また、カートリッジを筐体内のコネクタに接続した際に、カートリッジの一部が外部に突出するようになっていることから、使用状態においてカートリッジに衝撃が加えられる虞があり、カートリッジ内のハードディスクの損傷の懸念があった。
【０００４】
このようなことから、カートリッジを自動的に移動させて筐体内のコネクタに着脱させると共に、筐体内にカートリッジを完全に収納させることができるローディングメカを備えた記録媒体装着装置の開発が期待されている。また、そのようなローディングメカは、市場ニーズを考慮すると、簡単な構造であって、しかも小型であることが特に要望される。
【０００５】
本発明は、上述した従来技術における実状からなされたもので、その目的は、カートリッジを自動的に移動させてコネクタに着脱させることができ、筐体内にカートリッジを完全に収納させることができると共に、構造が簡単で、かつ小型なローディングメカとすることができる記録媒体装着装置を提供することにある。
【課題を解決するための手段】
【０００６】
上記目的を達成するために、本発明は、カートリッジに接続されるコネクタを有する筐体と、装着方向に移動可能に設けられ上記カートリッジを引き込むスライド部材と、駆動モータと、この駆動モータと上記スライド部材との間に介在し、上記駆動モータの回転力を直線運動に変換して上記スライド部材に伝える動力伝達機構を備えると共に、上記動力伝達機構が、上記駆動モータによって回転される回転板と、この回転板に設けられた摺動突起と、上記スライド部材に、上記装着方向と直交する方向に延設して形成され、上記摺動突起が係合する摺動溝とを有することを特徴としている。
【０００７】
このように構成した本発明は、駆動モータを駆動することにより動力伝達機構に含まれる回転板が回転し、この回転板に設けられた摺動突起が、スライド部材の摺動溝内を往復動し、これによってスライド部材が装着方向へ移動し、このスライド部材と一緒に筐体内に挿入されたカートリッジが所定の装着位置まで移動する。所定の装着位置においてカートリッジがコネクタに接続され、このコネクタを介してカートリッジ内のディスクに対する信号の送受信が可能となる。また、排出時には、スライド部材の排出方向への移動に伴って、カートリッジがコネクタから離脱してスライド部材と一緒に排出方向へ移動する。すなわち、カートリッジを自動的に移動させて筐体内のコネクタに着脱させることができる。
【０００８】
また、カートリッジの長さ寸法に対応させてスライド部材の移動ストロークを考慮することにより、筐体に挿入されたカートリッジを突出することなく筐体内に収納させることができる。
【０００９】
また、駆動モータの回転力を、スライド部材の直線運動として伝える動力伝達機構が、回転板と、この回転板に設けた摺動突起と、スライド部材に設けた摺動溝を含むが、これらの回転板、摺動突起、及び摺動溝は簡単な形状に形成できる。したがって、構造が簡単なローディングメカとすることができる。
【００１０】
さらに、回転板が１／２回転する間に、この回転板に設けた摺動突起がスライド部材の摺動溝内を往復動しながら、この摺動突起によってスライド部材が装着方向へ、あるいは排出方向へ移動することから、回転板の直径に相応する領域全部をスライド部材の移動領域とすることができる。すなわち、回転板の全体を、スライド部材を移動させるために活用することができ、無駄なスペースを要さずに小型なローディングメカとすることができる。
【００１１】
また、本発明は、上記発明において、上記摺動溝の一側端を、上記回転板の中心軸を超えて僅かに膨出させると共に、その膨出領域を上記摺動突起の軌跡に沿うように形成したことを特徴としている。
【００１２】
このように構成した本発明は、回転板の直径領域の全部をスライド部材の移動ストロークの確保のために活用する場合、回転板を正確に１／２回転で停止させることは難しい。本発明は、摺動溝の一側端に膨出領域を設け、回転板の摺動突起が、この膨出領域まで移動可能にしたこと、すなわち回転板の１／２回転以上の回転を可能にしたことから、回転板の直径領域の全部をスライド部材の移動ストロークの確保のために活用できる。
【００１３】
また、本発明は、上記発明において、上記摺動突起が上記膨出領域に位置した際の上記スライド部材のがたつきを規制する規制機構を備えたことを特徴としている。
【００１４】
このように構成した本発明は、スライド部材が移動を開始する前、すなわち初期位置に保持されているときには、回転板の摺動突起は、スライド部材の摺動溝の一側端に設けられた膨出領域に位置する。また、膨出領域は摺動突起の軌跡に沿うように形成されることから、この膨出領域内において回転板の摺動突起の周りに微小な空隙部が形成されてしまう。これによって、初期待機位置においてスライド部材にがたつきを生じる懸念がある。本発明は、上述した規制機構により、このスライド部材のがたつきを規制でき、スライド部材を初期待機位置に精度良く位置決めすることができる。
【００１５】
また、本発明は、上記発明において、上記規制機構は、上記回転板に形成されたカム溝と、このカム溝に係合し、上記スライド部材の動きを規制する規制アーム部とを有することを特徴としている。
【００１６】
このように構成した本発明は、回転板に形成したカム溝と、このカム溝に係合する規制アーム部とによって、すなわち簡単な構造で、スライド部材を初期待機位置に精度良くに位置決めできる。
【００１７】
また、本発明は、上記発明において、上記駆動モータの駆動、停止制御を行なうスイッチ手段と、このスイッチ手段を作動させるスイッチアーム部とを備えると共に、このスイッチアーム部と上記規制アーム部とを一体に設けたことを特徴としている。
【００１８】
このように構成した本発明は、駆動モータを制御するスイッチ手段を作動させるスイッチアーム部と、スライド部材の動きを規制する規制アーム部とを一体に設けたことから、部品数を少なくすることができる。
【００１９】
また、本発明は、上記発明において、上記カートリッジが挿入される筐体が上ケースと下ケースとから成り、上記下ケースに上記コネクタと、上記カートリッジの移動を案内するガイド部材を設け、上記上ケースに上記スライド部材、上記駆動モータ、及び上記動力伝達機構を装着させたことを特徴としている。
【００２０】
このように構成した本発明は、下ケースにコネクタ、ガイド部材等の静止部品を配置し、上ケースにスライド部材、動力伝達機構等の可動部品、及びこれらの可動部品を駆動する駆動モータを配置したことから、組立てが容易である。
【発明の効果】
【００２１】
本発明は、カートリッジを自動的に移動させてコネクタに対して着脱させることができるので、使い勝手がよい。また、筐体内に完全にカートリッジを収納させることができるので、使用状態においてカートリッジに衝撃が加えられる懸念が無く、カートリッジ内のディスクの保護を実現できる。
【００２２】
ま、動力伝達機構が、簡単な形状に形成し得る回転板、摺動突起、及び摺動溝を含むことから、構造が簡単なローディングメカとすることができる。さらに、回転板の直径に相応する領域全部をスライド部材の移動領域として活用でき、これによって無駄なスペースを要さずに、小型なローディングメカとすることができる。すなわち、構造が簡単で小型なローディングメカとすることができるので、製作費を抑え、装置の小型化を実現でき、実用性の高い装置とすることができる。
【発明を実施するための最良の形態】
【００２３】
以下，本発明に係る記録媒体装着装置を実施するための最良の形態を図に基づいて説明する。
【００２４】
［本実施形態の構成］
図１は本発明に係る記録媒体装着装置の一実施形態にカートリッジが挿入された状態を示す図で、（ａ）図は平面図、（ｂ）図は側面図、（ｃ）図は正面図、図２は本実施形態に挿入されたカートリッジが所定の装着位置に装着された状態を示す平面図である。
【００２５】
これらの図１，２に示す本実施形態の記録媒体装着装置に挿入されるカートリッジ１内には、記録媒体すなわちハードディスクが収納されている。このカートリッジ１の左右両側部には、図２で示すように凹部１ａが形成されている。
【００２６】
図３は本実施形態に備えられる筐体を形成する上ケースを示す図で、（ａ）図は平面図、（ｂ）図は側面図、（ｃ）図は正面図、図４は本実施形態に備えられる下ケースを示す図で、（ａ）図は平面図、（ｂ）図は側面図、（ｃ）図は正面図である。また、図５は本実施形態に備えられるスイッチ基板、及びスイッチを示す図で、（ａ）図は裏面図、（ｂ）図は側面図、図６は本実施形態に備えられるスライド部材を示す図で、（ａ）図は平面図、（ｂ）図は側面図、図７は本実施形態に備えられる係合部材を示す図で、（ａ）図は正面図、（ｂ）図は平面図である。
【００２７】
図１，２に示すように、本実施形態は、外殻を形成する筐体２を備え、この筐体２は上ケース３と、下ケース４とから成っている。筐体２にはカートリッジ１が挿入される挿入口５が形成されている。
【００２８】
上ケース３は、図３に示すように、一方の側部にモータ取付部３ａを備えている。また、同図３の（ａ）図に示すように、カートリッジ１の装着方向に沿って、一対のガイド溝３ｂ１，３ｂ２を延設してある。奥側位置には、上下方向に貫通する円弧穴３ｃを形成してある。円弧穴３ｃの手前側位置には、図３の（ｃ）図に示すように、上方に突出する軸３ｄを備えている。また、挿入口５側には、左右両側部のそれぞれに、金属製の板ばねから成り、カートリッジ１を付勢する付勢部材１０と、この付勢部材１０の先端に取り付けられ、カートリッジ１の上面に接触するローラ部材１１とを備えている。
【００２９】
下ケース４は、図４に示すように、左右両側部のそれぞれにカートリッジ１を案内するガイド部材１２を備えている。これらのガイド部材１２の挿入口５側付近には、同図４の（ｂ）図に示すように、上部ガイド面１２ａと、この上部ガイド面１２ａに連設される下部ガイド面１２ｂとを形成してある。上部ガイド面１２ａが手前側に位置し、下部ガイド面１２ｂが奥側に位置している。また、この下ケース４の奥側位置には、カートリッジ１が接続されるコネクタ１８を配置してある。
【００３０】
図１，２に示すように、上ケース３のモータ取付部３ａには、駆動手段を形成する駆動モータ１３を取り付けてある。上ケース３の上面側には、駆動モータ１３の駆動によって回転する回転板１７と、この回転板１７と連動するアーム部材２３と、アーム部材２３の上方に位置するスイッチ基板１９を装着してある。
【００３１】
上ケース３の下面側には、装着方向に移動可能に設けられ、カートリッジ１を引き込むスライド部材６を装着してある。なお、後述するが、上ケース３とスライド部材６との間には、装着方向に移動可能なダンパ部材８を配置してある。
【００３２】
図８〜１４は本実施形態の動作を示す図であるが、これらの図８〜１４も用いて、本実施形態の構成を説明する。
【００３３】
図８は本実施形態の動作のうちの特に、本実施形態にカートリッジが挿入されたときの状態を示す要部の平面透視図、図９は本実施形態の動作のうちの特に、本実施形態に挿入されたカートリッジが押し込まれ、ローディングが開始されたときの状態を示す要部の平面透視図である。図１０は本実施形態の動作のうちの特に、本実施形態に挿入されたカートリッジが所定の装着位置に向って移動するローディング途中の状態を示す要部の平面透視図、図１１は本実施形態の動作のうちの特に、本実施形態に挿入されたカートリッジが所定の装着位置に装着された状態を示す要部の平面透視図である。
【００３４】
また、図１２は本実施形態の動作のうちの特に、本実施形態に備えられるスライド部材、及びこのスライド部材に取り付けられた係合部材と、カートリッジとの係合関係を示す図で、（ａ）図はカートリッジ挿入時の状態を示す要部側面図、（ｂ）図はローディング開始時の状態を示す要部側面図、（ｃ）図はローディング途中の状態を示す要部側面図、（ｄ）図はカートリッジが所定の装着位置に装着された状態を示す要部側面図である。図１３は本実施形態の動作のうちの特に、本実施形態に備えられるスライド部材に取り付けられた係合部材と、カートリッジとの係合関係を示す図で、（ａ）図はカートリッジ挿入時の状態を示す要部側面図、（ｂ）図はローディング開始時の状態を示す要部側面図、（ｃ）図はローディング途中の状態を示す要部側面図、（ｄ）図はカートリッジが所定の装着位置に装着された状態を示す要部側面図である。図１４は本実施形態の動作のうちの特に、スライド部材と、規制アーム部を有するアーム部材との係合関係を示す図で、（ａ）図はアーム部材の規制アーム部によってスライド部材の移動が規制された初期待機状態を示す要部の平面透視図、（ｂ）図は規制アーム部によるスライド部材の移動に対する規制が解除された状態を示す要部の平面透視図である。
【００３５】
図８に示すように、駆動モータ１３の駆動によりウォーム１４が回転し、このウォーム１４の回転によってウォームホイール１５及びギヤ１５ａが回転し、ギヤ１５ａの回転によってギヤ１６ａ及びギヤ１６が回転する。ギヤ１６の回転によって、このギヤ１６と噛み合うギヤ部１７ａを有する回転板１７が、中心軸１７ｃを中心に回転する。
【００３６】
回転板１７には下方に突出し、図３に示す円弧穴３ｃに挿通する摺動突起１７ｂが取り付けられている。また、この回転板１７の下面には、カム溝１７ｅが形成されている。このカム溝１７ｅは各図にあっては実線で描かれているが、実際は回転板１７の下面に形成されている。このカム溝１７ｅは、図８等に示すように、半径の大きい大径部１７ｅ１と、この大径部１７ｅ１に連設され、この大径部１７ｅ１よりも半径の小さい中径部１７ｅ２と、この中径部１７ｅ２に連設され、この中径部１７ｅ２よりも半径の小さい小径部１７ｅ３とを有する。
【００３７】
上述のように上ケース３の下面側に配置されるスライド部材６は、図８等に示すように、装着方向と直交する方向に延設して形成され回転板１７の摺動突起１７ｅが係合する摺動溝６ｄを有している。また、この摺動溝６ｄの一側端を、図１の矢印１７ｄで例示するように、回転板１７の中心軸１７ｃを超えて僅かに膨出させ、図８等に示すように、この一側端に膨出領域６ｅを形成させてある。この膨出領域６ｅは、回転板１７の摺動突起１７ｂの軌跡に沿う形状に形成してある。
【００３８】
また、図８等に示すように、このスライド部材６の左右両側部のそれぞれには、図７に示す係合部材７を取り付けてある。この係合部材７は図６に示すスライド部材の軸６ａに回動可能に取り付けられ、図１２の（ａ）図、図１３の（ａ）図に例示するように、ばね部材３０によって下向き方向に付勢されている。この係合部材７の先端部には、上述したカートリッジ１の左右両側部に形成された凹部１ａに係合可能な突起７ａを備えている。なお、この係合部材７の突起７ａは、上述した図４に示すガイド部材１２の上部ガイド面１２ａと下部ガイド面１２ｂに沿って案内されるようになっている。すなわち、ガイド部材１２は、係合部材７の突起７ａを案内するガイド部材も兼ねている。
【００３９】
また、スライド部材６は図６等に示すように、上ケース３のガイド溝３ｂ１，３ｂ２のそれぞれに係合するガイド突起６ｃ１，６ｃ２を有すると共に、装着方向に延設される一対のガイド溝６ｂ１，６ｂ２を有している。
【００４０】
上述した図８等に示すウォーム１４、ウォームホイール１５、ギヤ１５ａ，１６ａ，１６、回転板１７、この回転板１７に設けた摺動突起１７ｂ、およびスライド部材６に形成され、摺動突起１７ｂが係合する膨出領域６ｅを有する摺動溝６ｄは、駆動モータ１３の回転力を直線運動に変換してスライド部材６に伝える動力伝達機構を構成している。
【００４１】
図１，２に示すように、上ケース３に装着され、アーム部材２３の上方に配置されるスイッチ基板１９は、図５に示すように、第１スイッチ２０と、第２スイッチ２１と、第３スイッチ２２とを備えている。説明を分かりやすくするために、図６，８等では、これらのスイッチ２０〜２２を実線で描いてあるが、実際には、これらのスイッチ２０〜２２はスイッチ基板１９の裏面に取り付けられている。
【００４２】
スライド部材６の上面側、すなわち上ケース３とスライド部材６との間には、ダンパ部材８を配置してある。このダンパ部材８は下向きに突出する一対のガイド突起８ｂ１，８ｂ２を備え、これらのガイド突起８ｂ１，８ｂ２のそれぞれは、スライド部材６のガイド溝６ｂ１，６ｂ２に係合している。また、このダンパ部材８は、図６，８等に示すように、上述の第１スイッチ２０を操作する作動片８ｃを備えている。このダンパ部材８の下方に突出する係合部８ａがカートリッジ１の前端部１ｂで押圧されて、このダンパ部材８が移動することによって、例えば第１スイッチ２０がオンからオフとなるように設定してある。
【００４３】
また、図６等に示すように、一端をスライド部材６に連結され、他端をダンパ部材８に連結されるばね部材９を備えている。
【００４４】
さらに、本実施形態は、上述したようにアーム部材２３を備えている。このアーム部材２３は、上述した上ケース２３の軸３ｄに回動可能に装着され、上方向に突出して上述した回転板１７のカム溝１７ｅに係合するピン２３ｃを有している。このアーム部２３は、スイッチ基板１９の第２スイッチ２１及び第２スイッチ２２を操作するスイッチアーム部２３ａと、規制アーム部２３ｂとを一体に設けた構成にしてある。規制アーム部２３ｂは、図８に示すように、スライド部材６に設けた上述のガイド突起６ｃ２に係合、離脱可能に配置されている。
【００４５】
上述したスイッチ基板１９に設けた第１スイッチ２０、第２スイッチ２１、第３スイッチ２２と、作動片８ｃを有するダンパ部材８と、回転板１７のカム溝１７ｅと、アーム部材２３のスイッチアーム部２３ａ及びピン２３ｃとによって、駆動モータ１３を始動させるスイッチ手段が構成されている。このスイッチ手段は、カートリッジ１の凹部１ａがスライド部材６に取り付けた係合部材７の突起７ａの待機位置を装着方向へ通過した状態で、駆動モータ１３を始動させてスライド部材６を移動させ、係合部材７の突起７ａを手前から移動させてカートリッジ１の凹部１ａに係合させるものから成っている。
【００４６】
また、上述した回転板１７のカム溝１７ｅと、アーム部材２３のピン２３ｃ及び規制アーム部２３ｂと、スライド部材６に設けたガイド突起８ｂ２とによって、回転板１７の摺動突起１７ｂがスライド部材６の摺動溝６ｄの膨出領域６ｅに位置した際のスライド部材６のがたつきを規制する規制機構が構成されている。
【００４７】
［本実施形態の動作］
上述のように構成した本実施形態の動作を主に図８〜１４に基づいて説明する。
【００４８】
［待機状態］
本実施形態にカートリッジ１が挿入されていない状態では、スライド部材６は、筐体２の挿入口５に最も近い位置に保持され、図１４の（ａ）図に示すように、アーム部材２３の規制アーム部２３ｂがスライド部材６のガイド突起６ｃ２と係合した状態にある。これによって、回転板１７の摺動突起１７ｂがスライド部材６の摺動溝６ｄの膨出領域６ｅ付近に位置し、この摺動突起１７ｂの周囲に微小な間隙が形成されるにも拘わらず、スライド部材６はがたつきを生じることなく保持される。このとき、アーム部材２３のピン２３ｃは、回転板１７のカム溝１７ｅの大径部１７ｅ１に位置している。
【００４９】
また、スライド部材６に取り付けられた係合部材７の突起７ａは、図４の（ｂ）図に示すガイド部材の上部ガイド面１２ａに位置している。
【００５０】
ダンパ部材８も、例えばばね部材９の付勢力によって、挿入口５に最も近い位置に保持されている。
【００５１】
また、スイッチ基板１９の第１スイッチ２０は、ダンパ部材８の作動片８ｃが係合することによりオンとなっており、第２スイッチ２１もアーム部材２３のスイッチアーム部２３ａが係合することによりオンとなっている。第３スイッチ２２はスイッチアーム部２３ａが係合していないのでオフとなっている。
【００５２】
［カートリッジの挿入動作］
このような状態から、図１，８，図１２の（ａ）図、図１３の（ａ）図に示すように、筐体２の挿入口５からカートリッジ１を挿入すると、図８に示すように、カートリッジ１の前端部１ｂがダンパ部材８の係合部８ａに係合し、カートリッジ１の押し込み操作に伴って、ダンパ部材８がばね部材９のばね力に抗して、そのガイド突起８ｂ１，８ｂ２がスライド部材６のガイド溝６ｂ１，６ｂ２に案内されながら装着方向に移動する。
【００５３】
図９、図１２の（ｂ）図、図１３の（ｂ）図に示すように、カートリッジ１の凹部１ａがスライド部材６の係合部材７の突起７ａの待機位置を超える所定距離まで押し込まれると、ダンパ部材８の作動片８ｃと第１スイッチ２０との係合が解かれ、第１スイッチ２０がオフ、第２スイッチ２１がオン、第３スイッチ２２がオフの状態となって駆動モータ１３が始動する。
【００５４】
駆動モータ１３の回転により、ウォーム１４、ウオームホイール１５、ギヤ１５ａ，１６ａ，１６、回転板１７のギヤ部１７ａを介して回転板１７が図８において左回りに回転する。これによって、アーム部材２３のピン２３ｃが、回転板１７のカム溝１７ｅの大径部１７ｅ１から中径部１７ｅ２に移動すると共に、回転板１７の摺動突起１７ｂがスライド部材６の摺動溝６ｄ内を図９の右方向に移動する。
【００５５】
上述したピン２３ｃが回転板１７のカム溝１７ｅの中径部１７ｅ２に移動することにより、アーム部材２３の規制アーム部２３ｂが、軸３ｄを中心に図９において右回りに回動し、この規制アーム部２３ｂとスライド部材６のガイド突起６ｃ２との係合が図１４の（ｂ）図に示すように解かれる。また、このときスイッチアーム部２３ａと第２スイッチ２１との係合が解かれ第２スイッチ２１はオフとなる。この状態において、上述のように回転板１７の摺動突起１７ｂが回転板１７の回転に伴ってスライド部材６の摺動溝６ｄ内を図９において右方向に移動することにより、スライド部材６はガイド突起６ｃ１，６ｃ２が上ケース３のガイド溝３ｂ１，３ｂ２にそれぞれ案内されながら装着方向に向かって移動する。
【００５６】
この間、回転板１７の回転に伴って回転板１７の摺動突起１７ｂがスライド部材６の摺動溝６ｄ内を往復動し、摺動突起１７ｂが摺動溝６ｄの縁部に係合することにより、スライド部材６は装着方向にさらに移動する。なお、回転板１７が初期待機位置から略９０°回転したとき、摺動突起１７ｂは摺動溝６ｄの右端に至る。さらに回転板１７が９０°回転すると、すなわち初期待機位置から略１８０°回転したとき、摺動突起１７ｂは摺動溝６ｄの右端から左端方向へその移動方向を変え、遂には摺動溝６ｄの左端の膨出領域６ｅ付近に至り、図１１、図１２の（ｄ）図、及び図１３の（ｄ）図に示すように、カートリッジ１が所定の装着位置まで移送され、このカートリッジ１は、筐体２内のコネクタ１８に接続される。
【００５７】
上述した操作の間、回転板１７の回転に伴って回転板１７のカム溝１７ｅに係合するピン２３ｃが、カム溝１７ｅの中径部１７ｅ２から小径部１７ｅ３へと移動し、アーム部材２３のスイッチアーム部２３ａが第３スイッチ２２に係合する。すなわち、第１スイッチ２０がオフ、第２スイッチ２１がオフ、第３スイッチ２２がオンの状態となる。このようなスイッチ状態になったとき駆動モータ１３は停止する。これによって、回転板１７の回転が停止し、スライド部材６の移動が停止し、カートリッジ１は所定の装着位置に保持される。この所定の装着位置において、筐体２のコネクタ１８を介してカートリッジ１内のハードディスクに対する信号の送受信が可能となる。
【００５８】
［カートリッジの排出操作］
排出時には、図示しないイジェクト釦を操作することにより、駆動モータ１３が反転し、上述の逆の動作によってカートリッジ１が排出される。
【００５９】
すなわち、駆動モータ１３の駆動によって、回転板１７が挿入時とは反対の右回りに回転し、回転板１７の摺動突起１７ｂがスライド部材６の摺動溝６ｄ内を往復動すると共に、アーム部材２３のピン２３ｃが回転板１７のカム溝１７ｅ内を小径部１７ｅ３→中径部１７ｅ２→大径部１７ｅ１へと移動する。
【００６０】
上述した摺動突起１７ｂの移動により、スライド部材６が排出方向に移動し、係合部材７を介してカートリッジ１もコネクタ１８から離脱するようにして排出方向へ移動する。
【００６１】
図８に示すように、アーム部材２３のスイッチアーム部２３ａが第２スイッチ２１に係合し、ダンパ部材８の作動片８ｃが第１スイッチ２０に係合した状態、すなわちイジェクト釦が押された後に、第１スイッチ２０がオン、第２スイッチ２１がオン、第３スイッチ２２がオフとなると、駆動モータ１３が停止する。
【００６２】
この間、スライド部材６の係合部材７の突起７ａが図１２の（ａ）図、図１３の（ａ）図に示すばね３０のばね力に抗して、ガイド部材１２の下部ガイド面１２ｂから上部ガイド面１２ａへと案内されることにより、カートリッジ１の凹部１ａのそれぞれから離脱する。また、アーム部材２３の規制アーム部２３ｂがスライド部材６のガイド突起６ｃ２に係合し、スライド部材６の移動が規制される。さらに、ばね部材９のばね力によってダンパ部材８が排出方向に移動する。この状態においてカートリッジ１を抜き取ることができる。
【００６３】
［本実施形態の効果］
以上のように、本実施形態によれば、駆動モータ１３を駆動することにより動力伝達機構に含まれる回転板１７が回転し、この回転板１７に設けられた摺動突起１７ｂが、スライド部材６の摺動溝６ｄ内を往復動し、これによってスライド部材６が装着方向へ移動し、スライド部材６に設けた係合部材７の突起７ａがカートリッジ１の凹部１ａに係合し、このカートリッジ１がスライド部材６と共に所定の装着位置まで移動し、コネクタ１８に接続される。また、排出時には、スライド部材６の排出方向への移動に伴って、カートリッジ１がコネクタ１８から離脱してスライド部材６と共に排出方向へ移動し、所定位置で係合部材の突起７ａをカートリッジ１の凹部１ａから離脱させることにより、カートリッジ１の抜き取りが可能となる。すなわち、カートリッジ１を自動的に移動させて筐体２内のコネクタ１８に着脱させることができ、使い勝手を良くすることができる。
【００６４】
また、カートリッジ１の長さ寸法に対応させてスライド部材６の移動ストロークを考慮することにより、図２に示すように、筐体２に挿入されたカートリッジ１を突出することなく筐体２内に収納させることができる。これにより使用状態においてカートリッジ１に衝撃が加えられる懸念がなく、カートリッジ１内のハードディスクの保護を実現できる。
【００６５】
また、駆動モータ１３の回転力を、スライド部材６の直線運動として伝える動力伝達機構が、回転板１７と、この回転板１７に設けた摺動突起１７ｂと、スライド部材６に設けた摺動溝６ｄを含むが、これらの回転板１７、摺動突起１７ｂ、及び摺動溝６ｄは簡単な形状に形成できる。したがって、構造が簡単なローディングメカとすることができる。
【００６６】
また、カートリッジ１の引きこみ動作を、スライド部材６に設けられカートリッジ１の凹部１ａに係合する突起７ａを有する係合部材７を介して実現でき、この係合部材７はカートリッジ１の凹部１ａに適合する形状であればよく、したがって、この係合部材７を含めてカートリッジ１の引き込み動作を実現させる構造を簡単なものにすることができる。
【００６７】
また、スライド部材６に取り付けた係合部材７の突起７ａをカートリッジ１の凹部１ａに係合させて、スライド部材６で直接にカートリッジ１を所定の装着位置まで移動させて、カートリッジ１とコネクタ１８とを接続させるようにしてあることから、カートリッジ１とコネクタ１８とを強い力で接続させることができ、これによって信号の送受信に対する信頼性の高い装置とすることができる。
【００６８】
また、スイッチ手段によって、係合部材７の突起７ａをカートリッジ１の手前から移動させてその凹部１ａに係合させるようにしてあるので、その凹部１ａ内に確実に係合部材７の突起７ａを係合させることができる。これによって、スライド部材６と共にカートリッジ１を確実に引き込むことができる。すなわち、挿入されたカートリッジ１を所定の装着位置まで引き込むに際し、スイッチ手段によってスライド部材６が移動しているときにカートリッジ１が抜かれる方向に引っ張られても、係合部材７がカートリッジ１の凹部１ａに係合しているためにカートリッジ１は抜かれてしまうことがなく、所定の装着位置までカートリッジ１を確実に引き込むことができる。これによっても信頼性の高い装置とすることができる。
【００６９】
さらに、回転板１７が１／２回転、すなわち１８０°回転する間に、この回転板１７に設けた摺動突起１７ｂがスライド部材６の摺動溝６ｄ内を往復動しながら、この摺動突起１７ｂによってスライド部材６が装着方向へ、あるいは排出方向へ移動することから、回転板１７の直径に相応する領域全部をスライド部材６の移動領域とすることができる。すなわち、回転板１７の全体をスライド部材６を移動させるために活用でき、無駄なスペースを要さずに小型のローディングメカとすることができる。
【００７０】
すなわち、本実施形態は、構造が簡単で小型のローディングメカとすることができるので、製作費を抑え、装置の小型化を実現でき、実用性の高い装置とすることができる。
【００７１】
また、回転板１７の直径領域の全部をスライド部材６の移動ストロークの確保のために活用する場合、回転板１７を正確に１／２回転、すなわち１８０°回転させた位置で停止させることは技術的に難しい。本実施形態は、スライド部材６の摺動溝６ｄの一側端に膨出領域６ｅを設け、回転板１７の摺動突起１７ｂが、この膨出領域６ｅまで移動可能にしたこと、すなわち回転板１７の１／２回転以上の回転を可能にしたことから、回転板１７の直径領域の全部をスライド部材６の移動ストロークの確保のために活用できる。
【００７２】
また、スライド部材６が移動を開始する前、すなわち初期待機位置に保持されているときには、回転板１７の摺動突起１７ｂは、スライド部材６の摺動溝６ｄの一側端に設けられた膨出領域６ｅ付近に位置する。また、膨出領域６ｅは摺動突起１７ｂの軌跡に沿うように形成されることから、この膨出領域６ｅ内において回転板１７の摺動突起１７ｂの周りに微小な空隙部が形成されてしまう。これによって、初期待機位置においてスライド部材６にがたつきを生じる懸念があるが、本実施形態では、回転板１７のカム溝１７ｅと、このカム溝１７ｅに係合するピン２３ｃを有するアーム部材２３の規制アーム部２３ｂとを含む規制機構を備えたことから、初期待機位置におけるスライド部材６のがたつきを簡単な構造で規制でき、スライド部材６を初期待機位置に精度良く位置決めすることができる。
【００７３】
また、駆動モータ１３を制御するスイッチ手段を作動させるスイッチアーム部２３ａと、スライド部材６の動きを規制する規制アーム部２３ｂとを一体に設けたことから部品数を少なくすることができる。
【００７４】
また、下ケース４にコネクタ１８、ガイド部材１２等の静止部品を配置し、上ケース３にスライド部材６、動力伝達機構等の可動部品、及びこれらの可動部品を駆動する駆動モータ１３を配置したことから、組立てが容易である。
【００７５】
また、カートリッジ１の凹部１ａに対して係脱する係合部材７の突起７ａを案内するガイド部材１２は、上部ガイド面１２ａと下部ガイド面１２ｂを有する単純な段差形状とすればよいので、このガイド部材１２の構造を簡単にすることができる。また、装置の幅方向に対するガイド部材１２の配置領域を小さくすることができ、これにより装置の幅寸法を小さく抑えることができ、装置の小型化に貢献する。
【００７６】
また、カートリッジ１の挿入時には、カートリッジ１の挿入動作に連動するダンパ部材８を介して、すなわち、スライド部材６とダンパ部材８とを連結するばね部材９の弾性力に抗するようにカートリッジ１を挿入した状態において、スイッチング手段がスイッチングするので、ばね部材９の弾性力に相応した良好な挿入感触が得られる。
【００７７】
さらに、本実施形態は、筐体２内に挿入されたカートリッジ１の上面に、付勢部材１０の付勢力をローラ部材１１を介して与えることができるので、筐体２に挿入されたカートリッジ１のがたつきを防止できると共に、筐体２内に挿入されたカートリッジ１の凹部１ａに係合部材７の突起７ａを確実に係合させることができ、優れたローディング機能を確保できる。
【図面の簡単な説明】
【００７８】
【図１】本発明に係る記録媒体装着装置の一実施形態にカートリッジが挿入された状態を示す図で、（ａ）図は平面図、（ｂ）図は側面図、（ｃ）図は正面図である。
【図２】本実施形態に挿入されたカートリッジが所定の装着位置に装着された状態を示す平面図である。
【図３】本実施形態に備えられる筐体を形成する上ケースを示す図で、（ａ）図は平面図、（ｂ）図は側面図、（ｃ）図は正面図である。
【図４】本実施形態に備えられる下ケースを示す図で、（ａ）図は平面図、（ｂ）図は側面図、（ｃ）図は正面図である。
【図５】本実施形態に備えられるスイッチ基板、及びスイッチを示す図で、（ａ）図は裏面図、（ｂ）図は側面図である。
【図６】本実施形態に備えられるスライド部材を示す図で、（ａ）図は平面図、（ｂ）図は側面図である。
【図７】本実施形態に備えられる係合部材を示す図で、（ａ）図は正面図、（ｂ）図は平面図である。
【図８】本実施形態の動作のうちの特に、本実施形態にカートリッジが挿入されたときの状態を示す要部の平面透視図である。
【図９】本実施形態の動作のうちの特に、本実施形態に挿入されたカートリッジが押し込まれ、ローディングが開始されたときの状態を示す要部の平面透視図である。
【図１０】本実施形態の動作のうちの特に、本実施形態に挿入されたカートリッジが所定の装着位置に向って移動するローディング途中の状態を示す要部の平面透視図である。
【図１１】本実施形態の動作のうちの特に、本実施形態に挿入されたカートリッジが所定の装着位置に装着された状態を示す要部の平面透視図である。
【図１２】本実施形態の動作のうちの特に、本実施形態に備えられるスライド部材、及びこのスライド部材に取り付けられた係合部材と、カートリッジとの係合関係を示す図で、（ａ）図はカートリッジ挿入時の状態を示す要部側面図、（ｂ）図はローディング開始時の状態を示す要部側面図、（ｃ）図はローディング途中の状態を示す要部側面図、（ｄ）図はカートリッジが所定の装着位置に装着された状態を示す要部側面図である。
【図１３】本実施形態の動作のうちの特に、本実施形態に備えられるスライド部材に取り付けられた係合部材と、カートリッジとの係合関係を示す図で、（ａ）図はカートリッジ挿入時の状態を示す要部側面図、（ｂ）図はローディング開始時の状態を示す要部側面図、（ｃ）図はローディング途中の状態を示す要部側面図、（ｄ）図はカートリッジが所定の装着位置に装着された状態を示す要部側面図である。
【図１４】本実施形態の動作のうちの特に、スライド部材と、規制アーム部を有するアーム部材との係合関係を示す図で、（ａ）図はアーム部材の規制アーム部によってスライド部材の移動が規制された初期待機状態を示す要部の平面透視図、（ｂ）図は規制アーム部によるスライド部材の移動に対する規制が解除された状態を示す要部の平面透視図である。
【符号の説明】
【００７９】
１    カートリッジ
１ａ  凹部
１ｂ  前端部
２    筐体
３    上ケース
３ａ  モータ取付部
４    下ケース
６    スライド部材
６ｄ  摺動溝（動力伝達機構）
６ｅ  膨出領域
７    係合部材
７ａ  突起
８    ダンパ部材
８ａ  係合部
８ｃ  作動片（スイッチ手段）
９    ばね部材
１０    付勢部材
１１    ローラ部材
１２    ガイド部材
１２ａ  上部ガイド面
１２ｂ  下部ガイド面
１３    駆動モータ（駆動手段）
１４    ウォーム（動力伝達機構）
１５    ウォームホイール（動力伝達機構）
１５ａ  ギヤ（動力伝達機構）
１６    ギヤ（動力伝達機構）
１６ａ  ギヤ（動力伝達機構）
１７    回転板（動力伝達機構）
１７ａ  ギヤ部
１７ｂ  摺動突起（動力伝達機構）
１７ｃ  中心軸
１７ｅ  カム溝（スイッチ手段）（規制機構）
１８    コネクタ
１９    スイッチ基板（スイッチ手段）
２０    第１スイッチ（スイッチ手段）
２１    第２スイッチ（スイッチ手段）
２２    第３スイッチ（スイッチ手段）
２３    アーム部材
２３ａ  スイッチアーム部（スイッチ手段）
２３ｂ  規制アーム部（規制機構）
２３ｃ  ピン（スイッチ手段）（規制機構）
【図１】
2006236438.tif 000003
【図２】
2006236438.tif 000004
【図３】
2006236438.tif 000005
【図４】
2006236438.tif 000006
【図５】
2006236438.tif 000007
【図６】
2006236438.tif 000008
【図７】
2006236438.tif 000009
【図８】
2006236438.tif 000010
【図９】
2006236438.tif 000011
【図１０】
2006236438.tif 000012
【図１１】
2006236438.tif 000013
【図１２】
2006236438.tif 000014
【図１３】
2006236438.tif 000015
【図１４】
2006236438.tif 000016